(57)【要約】【課題】本発明の目的は、安定性を確保でき、小型化及び軽量化することのできる待機系電源装置を提供することである。【解決手段】架線とパンタグラフを介して接続されるフィルターリアクトルと、このフィルタリアクトルと直列に接続されるダイオードと、前記ダイオードと直列接続される接触器と、前記接触器に並列に接続される充電抵抗と、前記接触器と直列に接続される切替装置と、前記切替装置と直列接続され、前記切替装置により切替られるる２台のインバータと、このインバータ各々の直流入力側の入出力端子間に設けられたフィルターコンデンサーと、前記２台のインバータの交流出力側に設けられ、前記２台のインバータを切替る切替装置とを備えたことを特徴とする待機系電源装置。【選択図】図１
2007288997.tif 000002
【特許請求の範囲】
【請求項１】
架線とパンタグラフを介して接続されるフィルターリアクトルと、
このフィルタリアクトルと直列に接続されるダイオードと、
前記ダイオードと直列接続される接触器と、
前記接触器に並列に接続される充電抵抗と、
前記接触器と直列に接続される入力側切替装置と、
前記切替装置と直列接続され、前記切替装置により切替られる２台のインバータと、
このインバータの直流入力側の入出力端子間に設けられたフィルターコンデンサーと、
前記充電抵抗と前記接触器からなる並列回路に直列に接続され、パンタグラフの離線時に
、電力を補償する大容量コンデンサと、
前記２台のインバータの交流出力側に設けられ、前記２台のインバータを切替える出力側
切替装置とを有し、
動作中の前記インバータが故障した場合に、前記接触器を開き、もう一方のインバータに
切替えて前記大容量コンデンサから放電される電力を、前記充電抵抗及び前記切替装置を
介してもう一方のインバータに供給することを特徴とする待機系電源装置。
【発明の詳細な説明】
【技術分野】
【０００１】
本発明は、待機系電源装置に関する。
【背景技術】
【０００２】
鉄道業界において、近年考案された待機系電源装置では、２台の電源装置を装備し、一
方の電源装置を動作させ、他方の電源装置は待機をさせていた。
【０００３】
このように構成された待機系電源装置では、動作中の電源装置に不具合が生じても、待
機をさせていた電源装置を駆動させることにより、電源を確保することが出来た。
【特許文献１】特開２００２−１９１１０２号公報
【発明の開示】
【発明が解決しようとする課題】
【０００４】
しかし、従来の待機系電源装置では、動作中の電源装置が健全である場合にも、２台の電
源装置を車両内に設置する必要があるため、小型化、軽量化が望まれている（特許文献１
には、ＳＩＶとＶＶＶＦの部品を共通化した電力変換装置が記載されている）。
【０００５】
そこで、本発明の目的は、安定性を確保でき、小型化及び軽量化することのできる待機系
電源装置を提供することである。
【課題を解決するための手段】
【０００６】
上記課題は、架線とパンタグラフを介して接続されるフィルターリアクトルと、このフィ
ルタリアクトルと直列に接続されるダイオードと、前記ダイオードと直列接続される接触
器と、前記接触器に並列に接続される充電抵抗と、前記接触器と直列に接続される入力側
切替装置と、前記切替装置と直列接続され、前記切替装置により切替られる２台のインバ
ータと、このインバータの直流入力側の入出力端子間に設けられたフィルターコンデンサ
ーと、前記充電抵抗と前記接触器からなる並列回路に直列に接続され、パンタグラフの離
線時に、電力を補償する大容量コンデンサと、前記２台のインバータの交流出力側に設け
られ、前記２台のインバータを切替える出力側切替装置とを有し、動作中の前記インバー
タが故障した場合に、前記接触器を開き、もう一方のインバータに切替えて前記大容量コ
ンデンサから放電される電力を、前記充電抵抗及び前記切替装置を介してもう一方のイン
バータに供給することを特徴とする待機系電源装置。
【発明の効果】
【０００７】
本発明により、小型化及び軽量化することのできる待機系電源装置を提供することができ
る。
【発明を実施するための最良の形態】
【０００８】
（第１の実施の形態）
従来の待機系電源装置では、図１に示すように遮断器１、フィルタリアクトル２、ダイ
オード３、充電抵抗４、接触器５、フィルターコンデンサ６、インバータ７、交流フィル
ター８、トランス９、放電接触器１６、放電抵抗７から構成されている。従来の待機系電
源装置においては、これらの回路のうち遮断器１、フィルタリアクトル２、ダイオード３
を除いて、２重化され、構成されていた。
【０００９】
しかし、これら複数の構成部品の中で、故障率が高いのはインバータ７とそれを制御す
る論理装置である。そこで、本発明に基づく第１の実施の形態の待機系電源装置は、故障
率が高いものを2重化し、故障率が低いものに関しては、共通化している。
【００１０】
本発明に基づく第１の実施の形態の待機系電源装置について、図を参照し詳細に説明す
る。図２は、本発明に基づく第１の実施の形態の待機系電源装置の構成図である。尚、図
１に示したものと同じものに関しては、同符号を付して説明を省略する。
【００１１】
本発明に基づく第１の実施の形態の待機系電源装置は、充電抵抗４及び接触器５からな
る並列回路に直列に、切替装置１０（切替手段であれば特に限定はしない）を備え、この
切替装置１０と、２台のインバータ７を接続している。尚、2台のインバータ７の直流入
力側の入出力端子間には、フィルタコンデンサ６が各々設けられている。２台の７の交流
出力側と、切替装置１１が接続され、この切替装置と、１台の交流フィルター８、トラン
ス９が接続されている。
【００１２】
このように構成された待機系電源装置は、各電源装置に各々設けられていた、遮断器１
、フィルタリアクトル２、ダイオード３、充電抵抗４、接触器５等を故障率が低いものを
共通化するため、従来と同等の安定性を確保でき、小型化及び軽量化された待機系電源装
置を提供することができる。
【００１３】
（第２の実施の形態）
本発明に基づく第２の実施の形態の待機系電源装置について、図を参照し詳細に説明す
る。図３は、本発明に基づく第２の実施の形態の待機系電源装置の冷却器の構成図である
。
【００１４】
本発明に基づく第２の実施の形態の待機系電源装置は、インバータ７を構成している半
導体素子７ｂを冷却する冷却器７ａを共通化したことを特徴としている。
【００１５】
待機系の電源装置においては、基本的に動作している電源装置は１台のみであるので、
冷却器７ａについても、相毎（Ｕ、Ｖ、Ｗ毎）に同一の冷却器（７ａｕにＵ相，７ａｖに
Ｖ相，７ａｗにＷ相）に取付け、熱を平準化させることにより、冷却器７ａを共通化する
ことができる（図３（ｂ）参照）。
【００１６】
このように構成された待機系電源装置は、各電源装置に各々設けられていた、遮断器１、
フィルタリアクトル２、ダイオード３、充電抵抗４、接触器５、冷却器７ａ等の故障率が
低いものを共通化するため、従来と同等の安定性を確保でき、小型化及び軽量化されかつ
安全性も確保した待機系電源装置を提供することができる。
【００１７】
（第３の実施の形態）
本発明に基づく第３の実施の形態の待機系電源装置について、図を参照し詳細に説明す
る。図４は、本発明に基づく第３の実施の形態の待機系電源装置の構成図である。尚、図
１乃至図３に記載したものと同じものに関しては、同符号を付して説明を省略する。
【００１８】
本発明に基づく第３の実施の形態の待機電源装置は、パンタグラフ（図示しない）が離
線した場合に、電力を補償する大容量コンデンサー１４を、各インバータ７に設けたこと
を特徴としている。
【００１９】
このように構成された待機系電源装置では、第１の実施の形態及び第２の実施の形態の
待機系電源装置では、パンタグラフ（図示しない）が離線した場合に、インバータ７によ
る電源供給が中断してしまうが、本発明に基づく第３の実施の形態の待機系電源装置では
、パンタグラフの離線時に、電力を補償する大容量コンデンサ１４を設けているので、パ
ンタグラフが離線した場合にも、電力供給が中断される心配がない。
【００２０】
本実施の形態の待機系電源装置においても、故障率の低いものを共通化しているため、
小型化及び軽量化しかつ安全性も確保した待機系電源装置を提供することが出来る。
【００２１】
（第４の実施の形態）
本発明に基づく第４の実施の形態の待機系電源装置について、図を参照し詳細に説明す
る。図５は、本発明に基づく第４の実施の形態の待機系電源装置の構成図である。尚、図
１乃至図４に記載したものについては、同符号を付して説明を省略する。
【００２２】
本発明に基づく第４の実施の形態の待機系電源装置は、故障率が低く、大型でもある大
容量コンデンサ１４を共通化し、切替装置１０と直列に接続している。
【００２３】
このように構成された待機系電源装置において、パンタグラフが離線をした場合には、
大容量コンデンサ１４から、切替装置１０を介して電力がインバータ７に供給される。
【００２４】
このように構成された待機系電源装置において、大容量コンデンサ１４により電力を供
給している間に、一方のインバータ７が故障した場合には、大容量コンデンサ１４の放電
がほぼ終わってから、切替装置１０を切り変える。
【００２５】
このように構成された待機系電源装置では、大容量コンデンサ１４の放電がほぼ終わっ
てから切替装置１０を切替るので、切替装置１０の短絡故障を防止することが出来る。
【００２６】
本実施の形態の待機系電源装置においても、故障率の低いものを共通化しているので、
小型化及び軽量化した待機系電源装置を提供することが出来る。
【００２７】
（第５の実施の形態）
本発明に基づく第５の実施の形態の待機系電源装置について、図を参照し詳細に説明す
る。図６は、本発明に基づく第５の実施の形態の待機系電源装置の構成図である。尚、図
１乃至図５に記載したものについては、同符号を付して説明を省略する。
【００２８】
本発明に基づく第５の実施の形態の待機系電源装置では、大容量コンデンサ１４と直列
にダイオード１５を接続し、充電抵抗４及び接触器５からなる並列回路に直列に接続され
ている。
【００２９】
このように構成された待機系電源装置が正常である場合には、大容量コンデンサ１４は
、入力フィルタコンデンサ６の放電用ダイオード１２を介して充電し、ダイオード１５、
接触器５、切替装置１０を介してインバータ７に放電をする。
【００３０】
このように構成された待機系電源装置において、一方のインバータ７が故障した場合に
は、接触器５を開き、大容量コンデンサ１４から放電される電力は、ダイオード１５、充
電抵抗４、切替装置１０を介して他方のインバータ７に供給される。
【００３１】
このように構成された待機系電源装置において、一方のインバータ７が故障した場合に
、充電抵抗４を介して、インバータ７に電力が供給されるので、第４の実施の形態の待機
系電源装置のように、切替装置１０の短絡を防ぐために、大容量コンデンサ１４がほぼ放
電を終えるまで、切替装置の切替を待つ必要がない。そのため、一方のインバータ７が故
障した場合にも、すぐ切替をすることが出来る。そのため、本実施の形態の待機系電源装
置は、従来と同等若しくは同等以上の安定性を確保できる。
【００３２】
本実施の形態の待機系電源装置においても、故障率の低いものを共通化しているので、小
型化及び軽量化した待機系電源装置を提供することが出来る。
【００３３】
（第６の実施の形態）
本発明に基づく第６の実施の形態の待機系電源装置について、図を参照し詳細に説明す
る。図７は、本発明に基づく第６の実施の形態の待機系電源装置の構成図である。尚、図
１乃至図６に記載したものについては、同符号を付して説明を省略する。
【００３４】
本発明に基づく第６の実施の形態の待機系電源装置において、各々のインバータと接続
される接触器１９及び充電抵抗１８（抵抗でもよい）からなる直列回路は、切替装置１９
と並列に接続されている。
【００３５】
このように構成された待機系電源装置において、大容量コンデンサ１４、フィルタコン
デンサ６の全てを同じ電圧にするように、待機している側に設けられたフィルタコンデン
サ６にも充電抵抗１８を介して充電する。一方のインバータ７が故障した場合には、せっ
故障した側の接触器１９を開き、故障側のインバータを切り離す。そのため、本実施の形
態の待機系電源装置は、従来と同等若しくは同等以上の安定性を確保できる。
【００３６】
本実施の形態の待機系電源装置においても、故障率の低いものを共通化しているので、
小型化及び軽量化した待機系電源装置を提供することが出来る。
【図面の簡単な説明】
【００３７】
【図１】一般的なインバータ電源装置の回路構成を示す。
【図２】本発明に基づく第１の実施の形態の待機系電源装置の構成図。
【図３】（ａ）本発明に基づく第２の実施の形態の待機系電源装置の冷却器の構成図。
【００３８】
（ｂ）本発明に基づく第２の実施の形態の待機系電源装置の冷却器の構成図。
【図４】本発明に基づく第３の実施の形態の待機系電源装置の構成図。
【図５】本発明に基づく第４の実施の形態の待機系電源装置の構成図。
【図６】本発明に基づく第５の実施の形態の待機系電源装置の構成図。
【図７】本発明に基づく第６の実施の形態の待機系電源装置の構成図。
【符号の説明】
【００３９】
１----遮断器
２----フィルタリアクトル
３-----ダイオード
４----充電抵抗
５----接触器
６---フィルタコンデンサ
７---インバータ
８----交流フィルタ
９---トランス
１０----切替装置
１１---切替装置
１２---ダイオード
１４---大容量コンデンサ
１５---ダイオード
１６---接触器
１７---放電抵抗
１８---充電抵抗
１９----接触器
【図１】
2007288997.tif 000003
【図２】
2007288997.tif 000004
【図３】
2007288997.tif 000005
【図４】
2007288997.tif 000006
【図５】
2007288997.tif 000007
【図６】
2007288997.tif 000008
【図７】
2007288997.tif 000009